(57)【要約】【課題】床用エキスパンションジョイントの床カバー材を、その端部を躯体に回転自在に支持して、他側の躯体が上下何れの方向に相対変位しても床カバー材の端部との接合が確実に維持されるように構成する。【解決手段】躯体２の凹面部２１ａ上に開口面を間隙４の長さ方向に向けてアイボルト６１ｃを固定し、これに略Ｌ字形に屈曲した連結部材６３の上端を回転自在に軸支させ、この連結部材６３の屈曲下端部に床カバー材５の端部に固定したアイボルト６２ｂを回転自在に軸支させ、躯体２側に構成した上下二つの回転軸部で床カバー材５を回転自在に支持する。【選択図】図２
2013185328.tif 000002
【特許請求の範囲】
【請求項１】
躯体と躯体の間隙に床カバー材を取り付けて両躯体の床面を接合する床用エキスパンションジョイントの床カバー材支持装置において、
リング形の係合部を備えていて前記間隙に面する一側の躯体端部に設けられた凹面部上に前記係合部の開口面を間隙長さ方向に向けて固定される躯体側係合部材と、
リング形の係合部を備えていて前記床カバー材の端部下面から前記係合部を下方へ突出させて床カバー材に固定される床カバー材側係合部材と、
両端に係合穴部を有して略Ｌ字形に屈曲形成された連結部材と、
前記躯体側係合部材の係合部とこれに並設させた前記連結部材の上側の係合穴部とを互いの開口面に軸部を挿通して連結することにより当該軸部周りに前記両部材を回転自在に支持するボルトナットと、
前記連結部材の下側の係合穴部とこれに並設させた前記床カバー材側係合部材の係合部とを互いの開口面に軸部を挿通して連結することにより当該軸部周りに前記両部材を回転自在に支持するボルトナットと、
を備えた構成を有することを特徴とする床カバー材支持装置。
【請求項２】
前記躯体側係合部材は、前記凹面部の上面に固定される受座に上方に突出した支持板部を設け、この支持板部に係合部であるリング体を取り付けた構成を有する請求項１に記載の床カバー材支持装置。
【請求項３】
前記床カバー材側係合部材は、床カバー材の端部下面に固定される支持板部に、係合部であるリング体を取り付けた構成を有する請求項１又は２に記載の床カバー材支持装置。
【請求項４】
リング体がアイボルト又はアイナットにより構成された請求項２又は３に記載の床カバー材支持装置。
【請求項５】
床用エキスパンションジョイントの床カバー材を、請求項２〜３の何れかに記載の支持装置を用いて躯体と躯体の間隙に取り付ける方法において、
間隙に面する一側の躯体端部に設けられた凹面部上に躯体側係合部材を構成する受座を固定する工程と、
床カバー材の端部下面に床カバー材側係合部材のリング体を固定する工程と、
前記床カバー材の端部に固定されたリング体に連結部材の下側の係合穴部をボルトナットにより連結するとともに、この連結部材の上側の係合穴部に躯体側係合部材を構成するリング体をボルトナットにより連結する工程と、
前記両リング体が端部に取り付けられた前記床カバー材を両躯体間に架け渡す工程と、
前記一側の躯体端部に設けられた凹面部上で、前記床カバー材の端部に取り付けられた、躯体側係合部材を構成するリング体を受座の支持板部に締着固定することにより当該リング体を受座上に取り付ける工程と、
を有することを特徴とする床カバー材の取り付け方法。
【請求項６】
請求項１〜４の何れかに記載の床カバー材支持装置により、間隙を挟む躯体と躯体の間に架け渡された床カバー材が支持された構成を有することを特徴とする床用エキスパンションジョイント。
【発明の詳細な説明】
【技術分野】
【０００１】
本発明は、建築物に設けられた躯体と躯体の間隙を閉鎖して両躯体の床面を接合する床用エキスパンションジョイントに係り、両躯体の鉛直方向の相対変位に追従する機能を備えた構造のものに関する。
【背景技術】
【０００２】
地震などの震動による躯体の鉛直方向の変位に追随する接合部を備えた床用エキスパンションジョイントとして、躯体間の間隙を塞ぐ床カバー材の一側の端部を、当該端部が接合する側の躯体にコイルバネが巻かれたボルトを介して連結し、間隙を挟む他側の躯体が上方へ相対変位した際に、前記コイルバネの下方へ弾圧付勢力を床カバー材に作用せしめ、これにより床カバー材の他側の端部が前記相対変位する躯体の上面に押し付けられて接合し、且つその状態のまま躯体に追随して上方へ変位するように設けられた構成のものが知られている（例えば特許文献１参照）。
【０００３】
他の床用エキスパンションジョイントとして、図１０に示されるように、間隙１００の長さ方向に沿って配置された軸部材１０２を一側の躯体１０１の端部から間隙１００内に突出させて取り付け、この軸部材１０２に床カバー材１０３の端部に設けた支持部材１０４を通して連結することで、床カバー材１０３が軸部材１０２周りで回転変位するように設けられた構成のものが知られている（例えば特許文献２参照）。
【先行技術文献】
【特許文献】
【０００４】
【特許文献１】特開２００５−３２５６１１号公報
【特許文献２】特開２０１０−２２９７８７号公報
【発明の概要】
【発明が解決しようとする課題】
【０００５】
従来の床用エキスパンションジョイントのうち、床カバー材をコイルバネで下方へ弾圧付勢する構成のものは、床カバー材の他端部が躯体の変位に追従して一度でも上方へ変位したならばコイルバネが伸びきってしまい、地震が発生して上下の振動が何度か続いたような場合にはコイルバネが伸びきって床カバー材の位置を保持する機能が低下するという問題がある。また、この構成のものは、床カバー材の他端部の可動領域は上方に限定され、当該他端部が接合する躯体の下方への相対変位に追従できないという問題がある。
【０００６】
図１０に示された構成のものは、床カバー材１０３の端部が上下何れにも変位可能であるものの、軸部材１０２を間隙１００内に突出させて取り付ける必要があるので施工がし難く、また、地震の際に床カバー材１０３に間隙１００の長さ方向の荷重が加わったり床カバー材１０３の上面に下向きの大きな荷重が加わったりして、躯体１０１の端面の軸部材１０２との接続部に応力が集中して躯体１０１から軸部材１０２が外れると、軸部材１０２もろとも床カバー材１０３が間隙１００の中に脱落する虞があるという構造上の問題がある。
【０００７】
本発明は従来技術の有するこのような問題点に鑑み、床用エキスパンションジョイントの床カバー材の一端を、支持装置を介して一側の躯体に回転自在に連結して、他側の躯体が上下何れの方向に相対変位しても床カバー材の端部との接合が確実に維持されるように構成し、何れの方向の荷重を受けても取り外れ難く、且つ簡単な作業により取り付けることができるようにすることを課題とする。
【課題を解決するための手段】
【０００８】
前記課題を解決するため本発明は、躯体と躯体の間隙に床カバー材を取り付けて両躯体の床面を接合する床用エキスパンションジョイントの床カバー材支持装置において、
リング形の係合部を備えていて前記間隙に面する一側の躯体端部に設けられた凹面部上に前記係合部の開口面を間隙長さ方向に向けて固定される躯体側係合部材と、
リング形の係合部を備えていて前記床カバー材の端部下面から前記係合部を下方へ突出させて床カバー材に固定される床カバー材側係合部材と、
両端に係合穴部を有して略Ｌ字形に屈曲形成された連結部材と、
前記躯体側係合部材の係合部とこれに並設させた前記連結部材の上側の係合穴部とを互いの開口面に軸部を挿通して連結することにより当該軸部周りに前記両部材を回転自在に支持するボルトナットと、
前記連結部材の下側の係合穴部とこれに並設させた前記床カバー材側係合部材の係合部とを互いの開口面に軸部を挿通して連結することにより当該軸部周りに前記両部材を回転自在に支持するボルトナットと、を備えた構成を有することを特徴とする。
【０００９】
これによれば、床カバー材は、その一側の端部が支持装置を介して間隙を挟む一側の躯体端部の凹面部に連結して支持され、他側の端部が間隙を挟む他側の躯体端部に接合させて、間隙上に取り付けられる。
床カバー材の端部が支持装置により凹面部に連結された状態で、支持装置の略Ｌ字形に屈曲した連結部材はその屈曲角部が凹面部に固定された躯体側係合部材の下側に配置され、その両端に形成された係合穴部のうち上側の係合穴部が、開口面を間隙長さ方向に向けた躯体側係合部材の係合部に並設されてボルトナットにより軸支され、下側の係合穴部が、前記上側の係合穴部よりも間隙寄りの位置で、床カバー材の端部に固定された床カバー材側係合部材の係合部にボルトナットにより軸支され、屈曲した連結部材の上下両端に軸芯が間隙長さ方向と平行な回転軸部がそれぞれ構成される。この上下二つの回転軸部を支点として床カバー材が回転自在に支持され、他側の躯体が上下何れかの方向に相対変位した場合に、これに追従して床カバー材が両回転軸部を支点に回転し、相対変位する躯体と床カバー材の他端部との接合状態を確実に維持することができる。
【００１０】
支持装置の二つの回転軸部は連結部材の上部と下部に位置を異ならせて配置されており、それぞれ床カバー材の鉛直方向に沿った変位に対し、床カバー材が上方へ変位するときは上側の回転軸部を支点として回転し、下方へ回転するときには下側の回転軸部を支点として回転し、つまり床カバー材が上方へせり上がる場合と下方へ下がる場合とで変位の支点となる回転軸部が変化することで、床カバー材の鉛直方向に沿った可動領域を広く確保することが可能となって躯体の変動に対する追従性能が高まり、地震発生時に間隙を確実且つ安全に閉鎖することができる。
【００１１】
前記構成の支持装置において、リング形の係合部を備えた躯体側係合部材及び床カバー材側係合部材とは、ボルトの軸部が挿通可能なリング形の係合部とこの係合部を躯体端部の凹面部又は床カバー材に一体に固定する部位を備えた部材をいう。係合部の形状は、例えばリング状やＣ字状、鈎状など、その開口面にボルトの軸部を挿通して前記軸部の外周に確実に係合し且つナットを外さない限り軸部から抜けることのない形状であることが好ましい。係合部とこれを固定する部位は、一体の部材に設けられていても、複数の部材に設けられていても何れでもよい。
また、連結部材の両端部と躯体側係合部材及び床カバー材側係合部材をボルトナットでそれぞれ回転自在に連結するにあたり、ボルトの軸部に適宜な長さのスペーサ管を被せ、このスペーサ管を被せた軸部を連結部材の係合穴部と前記両係合部材の係合部の開口面に挿通し、スペーサ管の両端でボルトナットを締結することが好ましい。ボルトの軸部にスペーサ管を被せることで、このスペーサ管の周面に係合する係合穴部と係合部の接触抵抗が少なくなって床カバー材の回転動作がスムーズになり、また、スペーサ管の両端でボルトナットを締結することで取り付け操作性が良好となる。
【００１２】
前記構成の支持装置において、躯体側係合部材は、前記凹面部の上面に固定される受座に上方に突出した支持板部を設け、この支持板部に係合部であるリング体を取り付けて構成することができる。
また、床カバー材側係合部材は、床カバー材の端部下面に固定される支持板部に、係合部であるリング体を取り付けて構成することができる。
さらに、前記リング体をアイボルト又はアイナットを用いて構成することができる。
【００１３】
また、前記構成の支持装置を用いた本発明の床カバー材の取り付け方法は、
間隙に面する一側の躯体端部に設けられた凹面部上に躯体側係合部材を構成する受座を固定する工程と、
床カバー材の端部下面に床カバー材側係合部材のリング体を固定する工程と、前記床カバー材の端部に固定されたリング体に連結部材の下側の係合穴部をボルトナットにより連結するとともに、この連結部材の上側の係合穴部に躯体側係合部材を構成するリング体をボルトナットにより連結する工程と、
前記両リング体が端部に取り付けられた前記床カバー材を両躯体間に架け渡す工程と、
前記一側の躯体端部に設けられた凹面部上で、前記床カバー材の端部に取り付けられた、躯体側係合部材を構成するリング体を受座の支持板部に締着固定することにより当該リング体を受座上に取り付ける工程と、を有することを特徴とする。
また、本発明の床用エキスパンションジョイントは、前記構成の支持装置により、間隙を挟む躯体と躯体の間に架け渡された床カバー材が支持された構成を有することを特徴とする。
【００１４】
本発明の床カバー材の支持装置は、特殊な形状や寸法で形成された部材を用いることなく、標準品として市場に流通している金属板や形材、ボルトナットなどを用いて低廉な加工コストで作製可能である。また、床カバー材の取り付けも、一側の躯体における凹面部上での取り付け操作によって簡易な手順により行うことができ、これにより床カバー材を回転自在に支持して構成される床用エキスパンションジョイントの施工コストの低廉化を実現することができる。
【図面の簡単な説明】
【００１５】
【図１】本発明の一実施形態の床用エキスパンションジョイントの横断面図である。
【図２】図１に示された床カバー材を支持する支持装置の拡大断面図である。
【図３】図３の概略上面図である。
【図４】（Ａ）、（Ｂ）は図２の支持装置の前側と後側の外観図である。
【図５】（Ａ）は図２の支持装置を構成する躯体側係合部材、床カバー材側係合部材及び連結部材の側面図、（Ｂ）は躯体側係合部材の概略外観図である。
【図６】床カバー材と躯体凹面部における支持装置の取り付け位置を示した床カバー材架設部分の側面図と上面図である。
【図７】図２の支持装置を用いた床用エキスパンションジョイントの施工工程を説明するための図である。
【図８】支持装置による床カバー材の回転機能を説明するための図である。
【図９】図１の床用エキスパンションジョイントにおける躯体の相対変位が生じた際の動作を説明するための図である。
【図１０】従来の床カバー材支持装置の一例を説明するための図である。
【発明を実施するための形態】
【００１６】
本発明の好適な実施形態を図面に基づいて説明する。
図１は本発明の一実施形態の床用エキスパンションジョイントの横断面を示しており、図示されるように、この床用エキスパンションジョイント１は、躯体２と躯体３の間の間隙４に、両躯体２、３に跨るように床カバー材５が取り付けられて両躯体２、３の床面２１、３１を床カバー材５で接合するとともに、床カバー材５の一側の端部５１を支持装置６で回転自在に支持して躯体２に連結し、躯体３が躯体２に対して上下何れの方向に相対変位してもこれに追従して床カバー材５が前記端部５１側を支点に回転することで、躯体３の床面３１と床カバー材５の他側の端部５２との接合が確実に維持されるように構成してある。
【００１７】
詳しくは、躯体２は、その間隙４に面する端部に凹面部２１ａが設けられ、この凹面部２１ａ上に、後述する支持装置６の躯体側係合部材６１の受座６１ａをアンカーボルトにより固定し、支持装置６を介して床カバー材５の端部５１を連結してある。
また、躯体３は、その間隙４に面する端部に、躯体３の奥行き側から下方傾斜面部３２ａと水平面部３２ｂと間隙４側へ下方傾斜した勾配面部３２ｃとを連ねてなる受下地３２が設けられ、床カバー材５の下面を前記水平面部３２ｂ上で支持することにより、躯体３に端部５２に接合した床カバー材５の上面と躯体３の床面３１とが水平に連なるように設けてある。
【００１８】
床カバー材５は、例えば鋼材を格子状に組んだグレーチングからなる適宜な厚みの本体カバー上に縞鋼板を一体に重ねた積層板を用い、これを間隙４の全体を覆う長さ及び間隙４の幅の２倍よりも若干大きな幅の寸法に設定して形成されており、躯体３に接合する端部５２の下面には前記受下地３２の下方傾斜面部３２ａと同じ傾斜度の傾斜面部５２ａを設けてある。また、躯体２に接合する側の端部５１には後述する床カバー材側係合部材６２のアイボルト６２ｂを固定してある。
【００１９】
支持装置６は、図２〜図５に示されるように、躯体２の端部に固定される躯体側係合部材６１と、床カバー材５の端部５１に固定される床カバー材側係合部材６２と、両係合部材が連結される連結部材６３と、躯体側係合部材６１に連結部材６３を軸支するボルト６４及びナット６５と、床カバー材側係合部材６２に連結部材６３を軸支するボルト６６及びナット６７と、スペーサ管６８と、ワッシャ６９とにより構成されている。
【００２０】
図４及び図５に示されるように、躯体側係合部材６１は、一面を受座６１ａ、他面を支持板部６１ｂとした長尺なアングル材を、アイボルト６１ｃを固定する部材として用い、前記支持板部６１ｂの上縁に形成された切り欠きにアイボルト６１ｃの軸部を通し、この支持板部６１ｂの裏面に、下縁に切り欠きに形成された押さえ平板６１ｄを前記切り欠きをアイボルト６１ｃの軸部に係合させて重ねた状態で、アイボルト６１ｃの軸部をナット締めすることにより、受座６１ａの上方にアイボルト６１ｃを一体に固定して形成してある。支持板部６１ｂに締着固定されたアイボルト６１ｃは、その開口面を受座６１ａ及び支持板部６１ｂに上面に対して垂直に交差させ、つまりアイボルト６１ａの外周リングを縦に向けた配置としてある。
床カバー材側係合部材６２は、アングル材からなる支持板部６２ａの下面に、前記アイボルト６１ｃと同寸のリング体であるアイボルト６２ｂをその開口面を当該支持板部６２ａの下面に対して垂直縦向きに交差させて配置し、支持板６２ａに形成された通孔にアイボルト６２ｂの軸部を通しナット締めにより固定して、支持板６２ａにアイボルト６２ｂを一体に取り付けて形成してある。
連結部材６３は、図５に示されるように、略Ｌ字形に屈曲した形状を呈するステンレス鋼板からなり、その両端部の外周、つまり上端部分の外周と屈曲して側方へ突出した端部部分の外周を適宜な曲率半径で湾曲した形状に縁取るとともに、それぞれの端部の内側に係合穴部６３ａ、６３ｂを設けてある。また、連結部材６３の屈曲した角部の外周面も湾曲させてある。
【００２１】
支持装置６は、躯体側係合部材６１のアイボルト６１ｃに連結部材６３の上側の係合穴部６３ａを並設配置した状態で、アイボルト６１ｃと係合穴部６３ａの開口面にワッシャ６９とスペーサ管６８を嵌め込んだボルト６４の軸部６４ａを挿通し、軸部６４ａの端部にワッシャ６９を介してナット６５を螺合してスペーサ管６８の両端でボルトナット６４、６５を締結して連結し、さらに、前記連結部材６３の下側の係合穴部６３ｂに床カバー材側係合部材６２のアイボルト６２ｂを並設配置した状態でアイボルト６２ｂと係合穴部６３ｂの開口面にワッシャ６９とスペーサ管６８を嵌め込んだボルト６６の軸部６６ａを挿通し、軸部６６ａの端部にワッシャ６９を介してナット６７を螺合してスペーサ管６８の両端でボルトナット６６、６７を締結して連結することにより組み立てられ、これにより連結部材６３の下側の係合穴部６３ｂに挿通したボルト６６の軸部６６ａが下側の回転軸部を構成し、これを支点として床カバー材側係合部材６２が回転変位可能に支持され、また、連結部材６３の上側の係合穴部６３ａに挿通したボルト６４の軸部６４ａが上側の回転軸部を構成し、これを支点として連結部材６３及び床カバー材側係合部材６２が回転変位可能に支持されるように構成してある。
【００２２】
支持装置６の躯体側係合部材６１は、前記図５（Ｂ）に示されるように、受座６１ａ及び支持板部６１ｂを構成する長尺なアングル材に複数のアイボルト６１ｃを所定の間隔を開けて締着固定して形成され、その受座６１ａの側面に取り付け片を溶接固着した状態で、前記躯体２の端部に設けられた凹面部２１ａの上面に設置され、前記取り付け片の上面からアンカーボルトを凹面部２１ａ内に打ち込むなどして当該凹面部２１ａ上に固定される。このとき、各アイボルト６１ｃの開口面が間隙４の長さ方向を向くように受座６１ａの固定位置が調整される。
また、床カバー材側係合部材６２は、支持板部６２ａの他側面を床カバー材５の端部５１のフレーム側面に溶接固着して固定され、この固定された支持板部６２ａにアイボルト６２ｂが床カバー材５の端部下面から下方に突出するように配置されて取り付けられる。
【００２３】
図６に示されるように、前記躯体側係合部材６１を躯体２の凹面部２１ａ上に固定した状態で、受座６１ａ上に取り付けられた各アイボルト６１ｃはその開口面の中心が間隙４の長手方向に沿った同一直線上に揃うように配置される。
また、前記床カバー材側係合部材６２は、前記凹面部２１ａ上に固定された躯体側係合部材６１の各アイボルト６１ｃの配置に位置対応させて、複数個のアイボルト６２ｂが、各々開口面の中心が間隙４の長手方向に沿った同一直線上に揃うように配置して前記床カバー材５の端部５１に取り付けられる。
【００２４】
これらの部材により構成される本形態の床用エキスパンションジョイント１は、以下の施工手順により取り付けることができる。
先ず、両躯体２、３の端部の下地を取り付ける。すなわち、図７（Ａ）に示されるように、躯体２側で凹面部２１ａ上に躯体側係合部材６１の受座６１ａを固定し、躯体３側では受下地３２を取り付ける。
【００２５】
躯体３の受下地３２を取り付けたならば、同図（Ｂ）に示されるように、躯体３の上面にモルタルを充填し、床面３１を形成する。
一方、床カバー材５の端部５１の下面に床カバー材側係合部材６２を取り付けておき、さらに、床カバー材５の端部５１に固定されたアイボルト６２ｂと連結部材６３の下側の係合穴部６３ｂ及び連結部材６３の上側の係合穴部６３ａと躯体側係合部材６１のアイボルト６１ｃを、それぞれボルトナット６４、６５、６６、６７、スペーサ管６８及びワッシャ６９を用いて連結する。
【００２６】
次いで、両アイボルト６１ｃ、６２ｂが端部５１に取り付けられた床カバー材５を、同図（Ｃ）に示されるように、両躯体２、３間に架け渡して取り付ける。このとき、躯体２の凹面部２１ａ上で、アイボルト６１ｃの軸部を受座６１ａの上方に突出した支持板部６１ｂの切り欠きに引っ掛けて、各アイボルト６１ｃの取り付け位置を調整する。
次いで、同図（Ｄ）に示されるように、押さえ平板６１ｄを支持板部６１ｂの裏面に重ね合わせた状態で、アイボルト６１ｃの軸部をナット締めして、アイボルト６１ｃを受座６１ａ上に固定する。これにより凹面部２１ａ上に支持装置６が組み立てられ、支持装置６を介して床カバー材５が躯体２に連結される。
【００２７】
その後、同図（Ｅ）に示されるように、凹面部２１ａを含む躯体２の上面にモルタルを充填して床面２１を形成することにより、床用エキスパンションジョイント１の施工が完了する。
【００２８】
このように構成された本形態の床用エキスパンションジョイント１によれば、間隙４を覆って両躯体２、３に跨るように床カバー材５が取り付けられ、床カバー材５を介して両躯体２、３の床面２１、３１を接合するとともに、図８に示されるように、床カバー材５の端部５１が躯体２の凹面部２１ａ上で支持装置６を介して、間隙長さ方向に沿って設けられた二つの回転軸部、すなわちボルト６４の軸部６４ａ周りで回転自在に支持する上側の回転軸部、及びボルト６６の軸部６６ａ周りで回転自在に支持する下側の回転軸部をそれぞれ回転支点として支持され、躯体３が躯体２に対して上下何れの方向に相対変位したとしても、これに追従して床カバー材５が回転することで変位を吸収し、躯体３の床面３１と床カバー材５の端部５２との接合を確実に維持することが可能である。
【００２９】
すなわち、図９を用いてその機能を説明すれば、同図（Ａ）に示された床カバー材５の当初の取り付け位置において、先ず、間隙４の両側で躯体２、３が間隙４の長さ方向（Ｙ方向；図面手前から奥行きに至る方向）に沿って相対変位した場合、躯体３の床面３１に載せた床カバー材５の端部５２が変位に追従して躯体３上をスライドすることで前記Ｙ方向の変位を吸収する。
【００３０】
同図（Ｂ）に示されるように、間隙４の両側で躯体２、３が間隙４の幅方向（Ｘ方向）に沿って間隙４を狭める方向に相対変位した場合、床カバー材５はその下面を躯体３が押し上げる変動に追従して、前記支持装置６のボルト６４の軸部６４ａ周りの軸部である上側の回転軸部を支点として上方へ回転することで、同方向の変位を吸収する。
【００３１】
一方、同図（Ｃ）に示されるように、間隙４の両側で躯体２、３が間隙４の幅方向（Ｘ方向）に沿って間隙４を拡げる方向に相対変位した場合には、床カバー材５の端部５２が躯体３の受下地３２の上面に沿って下方へ変位するのに伴って、床カバー材５は前記支持装置６のボルト６６の軸部６６ａ周りの軸部である下側の回転軸部を支点として下方へ回転することで、同方向の変位を吸収する。
【００３２】
また、同図（Ｄ）に示されるように、躯体２、３がＸ方向に沿って間隙４を狭めつつ、鉛直方向（Ｚ方向）に沿って躯体３側が上方に相対変位した場合は、躯体３の床面３１が床カバー材５の下面を上方へ大きく押し上げる変動に追従して、床カバー材５が、前記上側の回転軸部と下側の回転軸部の両軸部を支点として上方へ大きく回転することで、両方向の変位を吸収することができる。
【００３３】
さらに、同図（Ｅ）に示されるように、躯体２、３がＸ方向に沿って間隙４を拡げつつ、鉛直方向（Ｚ方向）に沿って躯体３側が下方に相対変位した場合には、躯体３が大きく降下する変動に追従して、床カバー材５が、前記上側の回転軸部と下側の回転軸部の両軸部を支点として下方へ大きく回転することで、両方向の変位を吸収し、降下する躯体３と床カバー材５の端部５２との接合状態を維持することができる。
【００３４】
地震発生時に躯体２、３に発生する変位は、前記Ｘ方向、Ｙ方向及びＺ方向の各方向を組み合わせた全範囲に生じるが、本形態の床用エキスパンションジョイント１は、床カバー材の可動領域をＸ方向、Ｙ方向及びＺ方向の全方向に設けてあるので、躯体２、３が何れの方向に相対変位しても、変位に追従して床カバー材５がスライドし或いは回転することで変位を吸収することができ、とりわけ支持装置６に設けられた上下に位置の異なる二つの回転軸部で床カバー材５を支持することにより、床カバー材５の鉛直方向に沿った可動領域が広く確保され、地震発生時に間隙４を確実且つ安全に閉鎖することが可能である。
【００３５】
なお、図示した床用エキスパンションジョイント１や支持装置６の構成及びその施工手順は、本発明の実施形態の一例を示すものであり、本発明はこれに限定されず、他の適宜な形態で構成し、他の手順によって施工することが可能である。
支持装置６の躯体側係合部材６１と床カバー材側係合部材６２は、係合部を構成するリング体であるアイボルト６１ｃ、６２ｂの代わりにアイナットを用いてもよく、係合部の開口面が他の形状のもの、例えばＣ字形や鈎形などの係合部材を用いてもよい。アイナットやアイボルトなどの標準品の係合部材単体で両係合部材６１、６２を構成し、これを直に躯体３の凹面部２１ａや床カバー材５に取り付けてもよい。
これら変形例と前記実施の形態の任意の組み合わせもまた本発明の実施の形態として有用である。
【符号の説明】
【００３６】
１  床用エキスパンションジョイント、２，３  躯体、２１ａ  凹面部、４  間隙、５  床カバー材、６  支持装置、６１  躯体側係合部材、６２  床カバー材側係合部材、６１ｃ，６２ｂ  アイボルト（リング体）、６３  連結部材、６４，６６  ボルト、６４ａ，６６ａ  軸部、６５，６７  ナット、６８  スペーサ管、６１ｄ  押さえ平板、６９  ワッシャ、６１ｂ  支持板部
【図１】
2013185328.tif 000003
【図２】
2013185328.tif 000004
【図３】
2013185328.tif 000005
【図４】
2013185328.tif 000006
【図５】
2013185328.tif 000007
【図６】
2013185328.tif 000008
【図７】
2013185328.tif 000009
【図８】
2013185328.tif 000010
【図９】
2013185328.tif 000011
【図１０】
2013185328.tif 000012